(57)【要約】【課題】振動や強い衝撃に対しても貯水タンクのずれや転倒等が生じることがなく、また、施工後の外観意匠性にも優れた貯水タンクの固定構造を提供すること。【解決手段】ベース部材８によって、貯水タンク１の下端を保持、固定する固定構造であって、ベース部材８は、固定部９と固定部９の外周縁から立設する保持片１０とを有し、地面に固定された固定部９の上に載置された貯水タンク１の下端外周面が、保持片１０によって、貯水タンク１の前後、左右方向から当接保持されている。【選択図】図１
2011174262.tif 000002
【特許請求の範囲】
【請求項１】
ベース部材によって、貯水タンクの下端を保持、固定する固定構造であって、
ベース部材は、固定部と固定部の外周縁から立設する保持片とを有し、地面に固定された固定部の上に載置された貯水タンクの下端外周面が、保持片によって、貯水タンクの前後、左右方向から当接保持されていることを特徴とする貯水タンクの固定構造。
【請求項２】
貯水タンクには複数の脚部が設けられており、載置される貯水タンクの各脚部の位置にベース部材が固定され、各ベース部材の保持片によって、各脚部の下端外周面が当接保持されていることを特徴とする請求項１に記載の貯水タンクの固定構造。
【請求項３】
貯水タンクの脚部の底面には凹部が設けられているとともに、固定部は、締結部材によって地面に固定されており、前記締結部材は、固定部の上に載置された貯水タンクの前記凹部内に収納されていることを特徴とする請求項２に記載の貯水タンクの固定構造。
【発明の詳細な説明】
【技術分野】
【０００１】
本発明は、貯水タンクの固定構造に関するものである。
【背景技術】
【０００２】
図８の概要図に示すように、建物Ｈの屋根Ｒに降った雨水を軒樋３０に集め、竪樋３１に設けた取水装置３２を通じて取水し、貯えることのできる雨水の貯水タンク３３が知られている。また、この貯水タンク３３では、容量を超える雨水が貯水された場合に、余剰分の雨水を竪樋３１へ戻し、地中の埋設管へ排水するための排水装置３４を備えてもいる。
【０００３】
そして、貯水タンク３３に貯えられた雨水は、貯水タンク３３外周の適宜位置に配設された蛇口３５から取水され、例えば、農業用・園芸用などに有効利用されている。
【０００４】
このような貯水タンク３３の場合、貯えられている雨水が多いほど貯水タンク３３全体の重量が大きくなるため、設置安定性は高くなる。一方、貯水タンク３３内の雨水量が少ない場合には、設置安定性は低下するものの、通常、蛇口３５が配設された位置より下方の雨水は使用されないため、この雨水が重しとなり、一定の設置安定性を確保している。
【０００５】
しかしながら、貯水タンク３３内の雨水量が少ない場合や貯水タンク３３の全高が高い場合には、貯水タンク３３内の雨水だけで十分な設置安定性を確保することは難しい。このため、図９の背面図に示すように、貯水タンク３３の背面上部にＵ字状のフック部材３６が取り付けられている。このフック部材３６に、チェーンやワイヤー等の紐状部材３７を通し、この紐状部材３７の先端に配設されたアンカーボルト３８等を地面に打ち込むことで、貯水タンク３３上部を後方から固定している。
【０００６】
このような従来の固定構造は、貯水タンク３３の前方への転倒はある程度抑制することができる。しかしながら、貯水タンク３３前方からの衝撃や、地面の振動等に対しては、十分な設置安定性が確保されているとは言い難い。例えば、地震や車両の通行等に伴う小刻みな振動が生じた場合には、貯水タンク３３の設置面がずれ動いたり、貯水タンク３３が転倒したりする恐れがあった。
【０００７】
また、関連技術としては、貯湯式電気温水器の転倒防止構造が知られている（例えば、特許文献１参照）。この構造では、貯湯タンクの脚部の間の空間に、貯湯タンクの周囲から複数の支持台部材を挿入し、この支持台部材の端面同士が当接状態となるように、支持台部材を外側から締め付け、一体化させている。
【０００８】
しかしながら、特許文献１の転倒防止構造は、脚部の間に大きな空間が形成されている貯湯タンクに特有の構造であるため、この構造を、一般的な雨水用の貯水タンクに適用することは難しかった。また、特許文献１の転倒防止構造は、貯湯タンクの周囲から支持台部材を装着する構造であるため、支持台部材が目立ちやすく、外観意匠も好ましいものではなかった。
【先行技術文献】
【特許文献】
【０００９】
【特許文献１】特開平9−178271号公報
【発明の概要】
【発明が解決しようとする課題】
【００１０】
本発明は、以上のような事情に鑑みてなされたものであり、振動や強い衝撃に対しても貯水タンクのずれや転倒等を抑制することができ、また、施工後の外観意匠性にも優れた貯水タンクの固定構造を提供することを課題としている。
【課題を解決するための手段】
【００１１】
本発明は、上記の課題を解決するため、以下のことを特徴としている。
【００１２】
第１の発明は、ベース部材によって、貯水タンクの下端を保持、固定する固定構造であって、ベース部材は、固定部と固定部の外周縁から立設する保持片とを有し、地面に固定された固定部の上に載置された貯水タンクの下端外周面が、保持片によって、貯水タンクの前後、左右方向から当接保持されている。
【００１３】
第２の発明は、第１の発明において、貯水タンクには複数の脚部が設けられており、載置される貯水タンクの各脚部の位置にベース部材が固定され、各ベース部材の保持片によって、各脚部の下端外周面が当接保持されている。
【００１４】
第３の発明は、第２の発明において、貯水タンクの脚部の底面には凹部が設けられているとともに、固定部は、締結部材によって地面に固定されており、前記締結部材は、固定部の上に載置された貯水タンクの前記凹部内に収納されている。
【発明の効果】
【００１５】
第１の発明は、固定部の上に載置された貯水タンクの下端外周面が、保持片によって、貯水タンクの前後、左右方向から当接保持されている。このため、振動や強い衝撃に対しても貯水タンクのずれや転倒等を抑制することができる。
【００１６】
第２の発明は、載置される貯水タンクの脚部の位置において脚部の数と同数のベース部材が地面に固定され、各々のベース部材の保持片によって、各々の脚部の下端外周面が当接保持されている。このため、貯水タンクに脚部が設けられている場合にも、貯水タンクのずれや転倒等を抑制することができる。また、貯水タンクの脚部のデザインがほぼ維持されるため、貯水タンクは、施工後の外観意匠性に優れている。
【００１７】
第３の発明は、貯水タンクの脚部の底面には凹部が設けられているとともに、固定部は、締結部材によって地面に固定されている。そして、前記締結部材は、固定部の上に載置された貯水タンクの前記凹部内に収納されている。このため、載置される貯水タンクの設置安定性を害することがない。また、固定部を簡便かつ確実に地面に固定することができるため、結果として、貯水タンクの設置安定性が向上する。
【図面の簡単な説明】
【００１８】
【図１】本発明の貯水タンクの固定構造の一実施形態を例示した正面側の分解斜視図である。
【図２】貯水タンクの下方断面図である。
【図３】図１に例示した実施形態における施工後の状態を例示した斜視図である。
【図４】図３の背面側の斜視図である。
【図５】本発明の貯水タンクの固定構造の第２の実施形態を例示した正面側の分解斜視図である。
【図６】図５に例示した実施形態における施工後の状態を例示した斜視図である。
【図７】図６の背面側の斜視図である。
【図８】一般的な貯水タンクの使用状態を例示した概要図である。
【図９】従来の貯水タンクの固定構造を例示した概要図である。
【発明を実施するための形態】
【００１９】
図１は、本発明の貯水タンクの固定構造の第一の実施形態を例示した正面側の分解斜視図である。図２は、貯水タンクの下方断面図である。
【００２０】
貯水タンク１は、タンク本体２と蓋部材３と台座部４を有している。タンク本体２前面の中央下方には、蛇口５が配設されている。この蛇口５より下方の水は、通常使用されないため、貯水タンク１内の水が少量の場合には、重しとしての役割を果たし、貯水タンク１の設置安定性に寄与する。
【００２１】
台座部４は、タンク本体２の下方に配置されている。台座部４は、略円筒状の脚部６を２つ有している。脚部６同士の間には空間が形成されている。
【００２２】
この脚部６は、底面中央に上方に窪んだ凹部６aが設けられている。また、この凹部６aの天井には、貫通孔６bが設けられており、この貫通孔６bに、タンク本体２の下端部の凸部２aが嵌合することで、タンク本体２と台座部４が一体になっている。また、脚部６の下端外縁６cは、滑らかな曲線形状となっている。
【００２３】
そして、脚部６の間にはドレンキャップ７が配設されている。タンク本体２内部の清掃時には、ここから水を抜き出すことができる。
【００２４】
また、タンク本体２の外周面には、所定の間隔で、複数の凹溝２bが水平方向の全周に亘って形成されている。これによって、貯水タンク１内が満水になった場合にも、膨張変形を低減することができる。
【００２５】
そして、貯水タンク１の設置箇所の地面には、ベース部材８が２つ固定されている。ベース部材８の数は、貯水タンク１の脚部６の数に対応している。また、２つのベース部材８の間隔も、貯水タンク１の脚部６の幅に対応している。
【００２６】
ベース部材８は、固定部９と固定部９の外周縁から立設する保持片１０とを有している。
【００２７】
固定部９の形状は、略半円形であり、貯水タンク１の脚部６の下端面の形状と対応している。また、脚部６の下端面の形状に応じて、円形、半楕円形状などに設計することもできる。
【００２８】
そして、固定部９は、締結部材１１aによって地面に固定されている。締結部材１１aの打設位置は、固定部９の略中央とすることができる。締結部材１１aは、例えば、アンカーボルト等を例示することができる。また、締結部材１１aの数も適宜設計することができる。
【００２９】
保持片は１０、略半円形の固定部９の外周縁の円弧部分から帯状に立設している。また、保持片１０の下端は、湾曲面１０aが設けられている。この湾曲面１０aは、脚部６の下端外縁の形状と対応している。
【００３０】
保持片１０の厚さは、貯水タンク１を保持するのに十分な強度を確保することができ、貯水タンク１設置後の意匠性を害さない範囲で適宜設計することができる。また、保持片１０の高さは、例えば、貯水タンク１の全高の１／５〜１／２０程度とすることができる。これによって、貯水タンク１の意匠性を害することなく、貯水タンク１の設置安定性を確保することができる。
【００３１】
図３は、図１に例示した実施形態における施工後の状態を例示した斜視図である。図４は、図３の背面側の斜視図である。図１と共通する部分には同一の符号を付し、以下では説明を省略する。
【００３２】
ベース部材８の固定部９の上に、貯水タンク１が載置されている。前記の通り、貯水タンク１の脚部６の底面には凹部６aが設けられており、固定部９上の締結部材１１aは、前記凹部６a内に収納されている。したがって、締結部材１１aが貯水タンク１の脚部６に接触して貯水タンク１が傾くことはなく、貯水タンク１の設置安定性が確保されている。
【００３３】
貯水タンク１の脚部６は、内側を除く下端外周面が、保持片１０の内周面と当接し、貯水タンク１の前後、左右方向から保持されている。したがって、貯水タンク１の前後、左右方向のいずれの方向からの衝撃に対しても、貯水タンク１のずれや転倒等を抑制することができるため、設置安定性に優れている。また、小刻みな振動や強い衝撃に対しても貯水タンク１のずれや転倒等が抑制される。
【００３４】
さらに、ベース部材８の固定部９は、脚部６の下方にのみ配置されている。また、保持片１０は、帯状であり、脚部６の下端外周面と当接している。このため、脚部６の形状は、貯水タンク１本来のデザインがほぼ維持されており、貯水タンク１は、施工後の外観意匠性に優れている。
【００３５】
なお、タンク本体２の背面には、取水、排水のためのホースを接続する接続部１２が両側に設けられている。一方の接続部１２に竪樋に設けた取水装置から分岐したホースを接続し、他方の接続部１２には、余剰分の雨水を竪樋へ戻し、地中の埋設管へ排水するため排水装置へと導くホースを接続することができる。前記ホース、取水装置、排水装置の図示は省略している。
【００３６】
さらに、タンク本体２の背面には、横長の凹部２cが複数形成されている。この凹部２cも、前記凹溝２bと同様に、貯水タンク１の膨張変形を低減する役割を果たしている。
【００３７】
貯水タンク１の背面上部には、フック部材１３が配設されている。このフック部材１３としては、例えばＵ字状の掛止具などを例示することができる。そして、両端に締結部材１１bを備えた紐状部材１４をフック部材１３に通すことで、紐状部材１４を係止することができる。そして、紐状部材１４にたるみが生じないように両端を引っ張り、締結部材１１ｂを地面に打設し固定することで、貯水タンク１の背面上部を固定することができる。これによって、貯水タンク１上方の揺れや、貯水タンク１の前方への転倒等を抑制することができる。なお、紐状部材１４としては、チェーンやワイヤー等を例示することができる。また、締結部材１１bとしてはネジ、アンカーボルト等を例示することができる。
【００３８】
このように、貯水タンク１の上部を紐状部材１４によって固定し、貯水タンク１の下端部をベース部材８によって固定することで、相乗的に貯水タンク１の設置安定性が向上している。
【００３９】
図５は、本発明の貯水タンクの固定構造の第２の実施形態を例示した正面側の分解斜視図である。図５において、第１の実施形態と共通する部分には同一の符号を付し、以下では説明を省略する。
【００４０】
図６は、図５に例示した実施形態における施工後の状態を例示した斜視図である。図７は、図６の背面側の斜視図である。
【００４１】
ベース部材８の固定部９は、略十字形状に形成されており、この先端部の３箇所からは、湾曲面１０aを介して保持片１０が立設している。そして、２つのベース部材８が、保持片１０が設けられていない固定部９の先端部９aが互いに対向した状態で固定されている。保持片１０は、前後、左右に対向配置される。また、固定部９は、十字形状の中央で締結部材１１aによって固定されている。
【００４２】
２つのベース部材８の間隔および固定部９の大きさは、貯水タンク１を固定部９の上に載置した時に、保持片１０の内面が貯水タンク１の脚部６の下端外周面と当接するように設計されている。
【００４３】
したがって、貯水タンク１の脚部６を固定部９の上に載置することで、貯水タンク１の脚部６は、それぞれの脚部６の内側を除く外周面の計６箇所において、保持片１０によって当接保持される。したがって、貯水タンク１は、保持片１０によって、前後、左右方向から当接保持されている。
【００４４】
このため、貯水タンク１の前後、左右方向のいずれの方向からの衝撃に対しても、貯水タンク１のずれや転倒等を抑制することができ、設置安定性に優れている。小刻みな振動や強い衝撃に対しても貯水タンク１のずれや転倒等が抑制される。
【００４５】
また、ベース部材８の固定部９は、脚部６の下方にのみ配置され、６個の保持片１０によって、部分的に脚部６の下端外周面が当接保持されている。このため、脚部６の形状は、貯水タンク１本来のデザインがほぼ維持されている。したがって、貯水タンク１は、施工後の外観意匠性に優れている。
【００４６】
なお、本発明は、以上のような実施形態に限定されるものではない。例えば、ベース部材の固定部、保持片の形状は適宜設計することができる。また、ベース部材の固定部、保持片の材料も適宜設計することができる。具体的には金属材料を好ましく例示することができる。また、固定部には、貯水タンクの脚部を内側から保持する保持片を設けてもよい。
【符号の説明】
【００４７】
１  貯水タンク
６  脚部
６a  凹部
８  ベース部材
９  固定部
１０  保持片
【図１】
2011174262.tif 000003
【図２】
2011174262.tif 000004
【図３】
2011174262.tif 000005
【図４】
2011174262.tif 000006
【図５】
2011174262.tif 000007
【図６】
2011174262.tif 000008
【図７】
2011174262.tif 000009
【図８】
2011174262.tif 000010
【図９】
2011174262.tif 000011